(57)【要約】【課題】外装パネルに空洞を必要とせず、安定した吊り下げが可能、かつ構造が簡単な外装パネル吊下具を提供する。【解決手段】外装パネル吊下具１は、外装パネル２の上縁に沿って被着可能な長尺の吊下具本体１０と、吊下具本体１０の第１端部１１に設置されかつ環状部を有する第１ガイド２１と、吊下具本体１０の第２端部１２に設置されかつ環状部を有する第２ガイド２２と、外装パネル２の第１端部１１側の下縁に巻かれかつ第１ガイド２１の環状部を通して吊下具本体１０の上方へ引き出される第１紐状部材３１と、外装パネル２の第２端部１２側の下縁に巻かれかつ第２ガイド２２の環状部を通して吊下具本体１０の上方へ引き出される第２紐状部材３２と、を有する。【選択図】図１
2020176454.tif 000002
【特許請求の範囲】
【請求項１】
外装パネルの上縁に沿って被着可能な長尺の吊下具本体と、
前記吊下具本体の第１端部に前記外装パネルの表裏に臨む一対の環状部を有する第１ガイドと、
前記吊下具本体の第２端部に前記外装パネルの表裏に臨む一対の環状部を有する第２ガイドと、
前記外装パネルの前記第１端部側の下縁に巻かれかつ前記第１ガイドの環状部を通して前記吊下具本体の上方へ引き出される第１紐状部材と、
前記外装パネルの前記第２端部側の下縁に巻かれかつ前記第２ガイドの環状部を通して前記吊下具本体の上方へ引き出される第２紐状部材と、を有することを特徴とする外装パネル吊下具。
【請求項２】
請求項１に記載した外装パネル吊下具において、
前記第１ガイドおよび前記第２ガイドは、それぞれ環状部の一部が開閉可能であることを特徴とする外装パネル吊下具。
【請求項３】
請求項２に記載した外装パネル吊下具において、
前記第１ガイドおよび前記第２ガイドは、それぞれシャックルのループ側を前記吊下具本体に固定したことを特徴とする外装パネル吊下具。
【請求項４】
請求項１から請求項３のいずれか一項に記載した外装パネル吊下具において、
前記第１紐状部材および前記第２紐状部材は、それぞれ少なくとも前記外装パネルの下縁に巻かれる部分がナイロンスリングで形成されていることを特徴とする外装パネル吊下具。
【請求項５】
請求項４に記載した外装パネル吊下具において、
前記第１紐状部材および前記第２紐状部材は、それぞれ前記外装パネルの下縁に巻かれる前記ナイロンスリングと、前記ナイロンスリングの両端に接続された一対のワイヤーと、を有し、前記ワイヤーが前記第１ガイドまたは前記第２ガイドに挿通されることを特徴とする外装パネル吊下具。
【請求項６】
請求項１から請求項５のいずれか一項に記載した外装パネル吊下具において、
前記吊下具本体の内側には、クッション材が張られていることを特徴とする外装パネル吊下具。
【請求項７】
請求項１から請求項６のいずれか一項に記載した外装パネル吊下具において、
前記吊下具本体は、外装パネルの上端に被着可能なＣ型鋼材であることを特徴とする外装パネル吊下具。
【請求項８】
請求項１から請求項６のいずれか一項に記載した外装パネル吊下具において、
前記吊下具本体は、一対のＣ型鋼材を連結材の両端に接続して形成されていることを特徴とする外装パネル吊下具。
【請求項９】
請求項１から請求項８のいずれか一項に記載した外装パネル吊下具において、
前記吊下具本体は、長手方向の両端が、外れ止め用の蓋材で覆われていることを特徴とする外装パネル吊下具。
【請求項１０】
請求項１から請求項９のいずれか一項に記載した外装パネル吊下具において、
前記第１端部および前記第２端部には、それぞれ前記吊下具本体の長手方向に張り出した環状部を有する昇降ガイドが設置されていることを特徴とする外装パネル吊下具。
【請求項１１】
請求項１から請求項１０のいずれか一項に記載した外装パネル吊下具を用いて外装パネルを吊り下げる外装パネル吊下方法であって、
前記外装パネルの上縁に沿って前記吊下具本体を被着し、
前記外装パネルの下縁に巻かれた前記第１紐状部材および前記第２紐状部材を、前記吊下具本体の前記第１ガイドまたは前記第２ガイドに挿通し、
前記吊下具本体の上方へ引き出された前記第１紐状部材および前記第２紐状部材を、前記吊下具本体の前記第１端部および前記第２端部の中間位置の上方で纏めて吊り下げることを特徴とする外装パネル吊下方法。
【請求項１２】
請求項１１に記載した外装パネル吊下方法において、
前記外装パネルは、複数枚が水平な連結材で連結された外装パネルユニットとされ、
前記吊下具本体は、前記外装パネルユニットを構成する複数の前記外装パネルの上縁に被着されることを特徴とする外装パネル吊下方法。
【発明の詳細な説明】
【技術分野】
【０００１】
本発明は外装パネル吊下具および外装パネル吊下方法に関する。
【背景技術】
【０００２】
建物の外面には外装パネルが装着される。外装パネルとしては、軽量気泡コンクリートパネルや押出成型セメント板などの無機材料パネルのほか、金属製パネルも利用される。
外装パネルを建物に装着する際には、地上で外装パネルにナイロンスリングを巻き、ナイロンスリングをワイヤーでクレーンに接続して吊り上げる胴巻き方式が多用される。ナイロンスリングを用いることで、外装パネルへの損傷を防止できる（特許文献１、特許文献２、および特許文献３の背景技術欄参照）。
【０００３】
ナイロンスリングを巻いて外装パネルを吊り下げる場合、外装パネルの空中姿勢が斜めになる。このような斜めの吊り下げ状態では、建物の装着箇所に十分に近接させることができず、装着作業にあたって姿勢を垂直に調整する必要がある。
そこで、特許文献１、特許文献２、および特許文献３では、外装パネルに縦方向の空洞を形成し、そこに吊下具を挿入して係止させ、外装パネルを垂直に吊り下げている。
【先行技術文献】
【特許文献】
【０００４】
【特許文献１】特開２０００−３２０１４３号公報
【特許文献２】特許第４４７５６５８号公報
【特許文献３】特許第３８１６３５８号公報
【発明の概要】
【発明が解決しようとする課題】
【０００５】
特許文献１ないし特許文献３は、いずれも外装パネルに吊下具を挿入する縦方向の空洞が必要になり、外装パネルによっては適用することができない。
特許文献１および特許文献２では、適用可能な外壁パネルであっても、空洞内に挿入された係止具が回動または相対移動することで空洞内面に圧接されるものであり、安定した係止状態が得られない可能性もある。
特許文献３では、棒状の係止具が空洞を貫通して下面側に露出し、外装パネルの下面に係合することで安定した吊り下げが可能である。しかし、その分係止具の機構が複雑になり、外装パネルの空洞が上下に貫通することも必須になる。
【０００６】
本発明の目的は、外装パネルに空洞を必要とせず、安定した吊り下げが可能、かつ構造が簡単な外装パネル吊下具および外装パネル吊下方法を提供することにある。
【課題を解決するための手段】
【０００７】
本発明の外装パネル吊下具は、外装パネルの上縁に沿って被着可能な長尺の吊下具本体と、前記吊下具本体の第１端部に前記外装パネルの表裏に臨む一対の環状部を有する第１ガイドと、前記吊下具本体の第２端部に前記外装パネルの表裏に臨む一対の環状部を有する第２ガイドと、前記外装パネルの前記第１端部側の下縁に巻かれかつ前記第１ガイドの環状部を通して前記吊下具本体の上方へ引き出される第１紐状部材と、前記外装パネルの前記第２端部側の下縁に巻かれかつ前記第２ガイドの環状部を通して前記吊下具本体の上方へ引き出される第２紐状部材と、を有することを特徴とする。
【０００８】
このような本発明において、第１紐状部材は、外装パネルの第１端部側の下縁に巻かれ、その両端側は外装パネルの表面および裏面に沿って上方へ引き出され、第１ガイドの一対の環状部を通して吊下具本体の上方へ引き出され、クレーンなどに接続される。一方、第２紐状部材は、外装パネルの第２端部側の下縁に巻かれ、その両端側は外装パネルの表面および裏面に沿って上方へ引き出され、第２ガイドの一対の環状部を通して吊下具本体の上方へ引き出され、クレーンのフックなどに接続される。
この際、第１ガイドおよび第２ガイドは、それぞれ吊下具本体の第１端部および第２端部に設置されており、各々に至る第１紐状部材および第２紐状部材は略垂直に引き出され、外装パネルの下端を鉛直方向上向きに安定支持することができる。
ここで、第１紐状部材および第２紐状部材は、第１ガイドおよび第２ガイドから上方へ引き出されてクレーンに接続される際、そのフックなどに向けて集合することで、それぞれ傾くが、第１ガイドおよび第２ガイドが吊下具本体により所定間隔に保持されるため、外装パネルに沿った部分の垂直方向の引き出しは維持される。
このように、本発明によれば、第１ガイドおよび第２ガイドが設置された吊下具本体と、第１紐状部材および第２紐状部材とを用いる簡単な構造で、外装パネルの空洞なしに、安定した外装パネルの吊り下げが可能となる。
【０００９】
本発明の外装パネル吊下具において、前記第１ガイドおよび前記第２ガイドは、それぞれ環状部の一部が開閉可能であることが好ましい。
このような本発明では、第１ガイドに第１紐状部材を通す際、または第２ガイドに第２紐状部材を通す際に、各々の環状部を開くことで第１紐状部材または第２紐状部材の途中部分を導入することができ、第１紐状部材または第２紐状部材の先端から第１ガイドまたは第２ガイドに通すような煩雑な作業を省略することができる。
【００１０】
本発明の外装パネル吊下具において、前記第１ガイドおよび前記第２ガイドは、それぞれシャックルのループ側を前記吊下具本体に固定したことが好ましい。
このような本発明では、前述した環状部の一部が開閉可能な第１ガイドおよび第２ガイドを簡単に形成できる。また、シャックルは汎用部品であり、利用環境に適合した部材を安価に確保することができる。
【００１１】
本発明の外装パネル吊下具において、前記第１紐状部材および前記第２紐状部材は、それぞれ少なくとも前記外装パネルの下縁に巻かれる部分がナイロンスリングで形成されていることが好ましい。
このような本発明では、ナイロンスリング部分が鋼製ワイヤーなどに比べて柔軟であり、外装パネルの下縁部分の損傷などを防止できる。また、ナイロンスリングは偏平に編まれて鋼製ワイヤーなどに比べて厚みが小さいため、外装パネルを吊り下げた状態で狭い部分へも搬入できる。
【００１２】
本発明の外装パネル吊下具において、前記第１紐状部材および前記第２紐状部材は、それぞれ前記外装パネルの下縁に巻かれる前記ナイロンスリングと、前記ナイロンスリングの両端に接続された一対のワイヤーと、を有し、前記ワイヤーが前記第１ガイドまたは前記第２ガイドに挿通されることが好ましい。
このような本発明では、ナイロンスリングの部分で外装パネルの損傷を防止できるとともに、両側のワイヤー部分を第１ガイドまたは第２ガイドに通すことで、第１ガイドまたは第２ガイドに対する擦れに対して強度を確保できる。
【００１３】
本発明の外装パネル吊下具において、前記吊下具本体の内側には、クッション材が張られていることが好ましい。
このような本発明では、外装パネルの上縁において、吊下具本体との接触による損傷を防止できる。
なお、クッション材としては、硬質ゴム製シートなどの汎用素材を適宜用いることができる。
【００１４】
本発明の外装パネル吊下具において、前記吊下具本体は、外装パネルの上端に被着可能なＣ型鋼材であることが好ましい。
このような本発明では、吊下具本体とされたＣ型鋼材の両フランジ部分が、装着時に外装パネルの表面および裏面に対向配置され、Ｃ型鋼材のウェブ部分が外装パネルの上端面に対向配置され、これにより外装パネルの上縁部分を覆うように吊下具本体を被せることができ、安定した装着ができる。そして、Ｃ型鋼材は汎用部品であり、利用環境に適合した部材を安価に確保することができる。
【００１５】
本発明の外装パネル吊下具において、前記吊下具本体は、一対のＣ型鋼材を連結材の両端に接続して形成されていることが好ましい。
このような本発明では、全体をＣ型鋼材とする場合に比べて、軽量化が可能である。連結材としては角柱状の鋼材、鋼製アングル材や鋼製パイプ材などを用いればよく、Ｃ型鋼材との接続は溶接を用いればよい。
【００１６】
本発明の外装パネル吊下具において、前記吊下具本体は、長手方向の両端が、外れ止め用の蓋材で覆われていることが好ましい。
このような本発明では、吊下具本体が外装パネルの上縁に沿って、長手方向にずれて外れることを防止できる。蓋材としては、鋼製の板材などが利用でき、吊下具本体が鋼材であれば接続に溶接を用いればよい。
【００１７】
本発明の外装パネル吊下具において、前記第１端部および前記第２端部には、それぞれ前記吊下具本体の長手方向に張り出した環状部を有する昇降ガイドが設置されていることが好ましい。
このような本発明では、吊下具本体を用いて外装パネルの吊り上げを行う際に、予め吊り上げ経路に鉛直方向のガイドワイヤーを設置しておき、このガイドワイヤーを昇降ガイドの環状部に挿通させることで、吊り上げられる吊下具本体および外装パネルを所定の経路に沿ってガイドすることができ、強風時にも安定した吊り上げ作業が行える。
【００１８】
本発明の外装パネル吊下方法は、前記外装パネルの上縁に沿って前記吊下具本体を被着し、前記外装パネルの下縁に巻かれた前記第１紐状部材および前記第２紐状部材を、前記吊下具本体の前記第１ガイドまたは前記第２ガイドに挿通し、前記吊下具本体の上方へ引き出された前記第１紐状部材および前記第２紐状部材を、前記吊下具本体の前記第１端部および前記第２端部の中間位置の上方で纏めて吊り下げることを特徴とする。
このような本発明の外装パネル吊下方法によれば、前述した本発明の外装パネル吊下具で説明した通りの効果を得ることができる。
【００１９】
本発明の外装パネル吊下方法において、前記外装パネルは、複数枚が水平な連結材で連結された外装パネルユニットとされ、前記吊下具本体は、前記外装パネルユニットを構成する複数の前記外装パネルの上縁に被着されることが好ましい。
このような本発明の外装パネル吊下方法では、一組の外装パネル吊下具により、外装パネルユニットとされた複数の外装パネルを一括して吊り下げることができ、効率的な作業を行うことができる。
【発明の効果】
【００２０】
本発明によれば、外装パネルに空洞を必要とせず、安定した吊り下げが可能、かつ構造が簡単な外装パネル吊下具を提供できる。
【図面の簡単な説明】
【００２１】
【図１】本発明の一実施形態を示す正面図。
【図２】前記実施形態の吊下具本体を示す斜視図。
【図３】前記実施形態の吊下具本体を外装パネルに被着した状態を示す斜視図。
【図４】本発明の他の実施形態の吊下具本体を示す斜視図。
【発明を実施するための形態】
【００２２】
以下、本発明の一実施形態を図面に基づいて説明する。
図１において、外装パネル吊下具１は、建物の外面に設置される外装パネル２を、クレーンのフック３などで吊り下げる際に用いられる。
【００２３】
外装パネル吊下具１は、外装パネル２の上縁に沿って被着可能な長尺の吊下具本体１０と、吊下具本体１０の第１端部１１に設置される第１ガイド２１と、吊下具本体１０の第２端部１２に設置される第２ガイド２２とを有する。
さらに、外装パネル吊下具１は、外装パネル２の第１端部１１側の下縁に巻かれかつ第１ガイド２１を通して吊下具本体１０の上方へ引き出される第１紐状部材３１と、外装パネル２の第２端部１２側の下縁に巻かれかつ第２ガイド２２を通して吊下具本体１０の上方へ引き出される第２紐状部材３２と、を有する。
【００２４】
第１紐状部材３１は、中間部のナイロンスリング３３と、その両側のシャックル３４に接続された一対のワイヤー３５とを有し、ワイヤー３５の先端にはフック３に接続可能なループが形成される。そして、外装パネル吊下具１として組み立てられる際には、ナイロンスリング３３が外装パネル２の下縁に巻かれ、両側のワイヤー３５が外装パネル２の表面および裏面に沿って上方に引き出され、吊下具本体１０を経由してフック３まで導かれる。
第２紐状部材３２も、同様なナイロンスリング３３ないしワイヤー３５で形成され、第１紐状部材３１と同様に組み立てられる。
【００２５】
図２において、吊下具本体１０は、長尺のＣ型鋼材で形成されている。
吊下具本体１０の内側、つまり両側フランジ部分の内側および上側ウェブ部分の内側には、それぞれ硬質ゴム製シートを用いたクッション材１３が張られている。
【００２６】
吊下具本体１０の第１端部１１の上面には、第１ガイド２１として、外装パネル２の表裏に臨む幅方向両側に一対のシャックル２１１，２１２が設置されている。シャックル２１１，２１２は、それぞれループ部およびボルト部によりワイヤー３５が挿通される環状部を形成しており、ループ部を溶接することで吊下具本体１０に固定され、吊下具本体１０から張り出したボルト部からボルトを取り外すことで環状部を開閉可能である。
吊下具本体１０の第２端部１２の上面には、第２ガイド２２として、シャックル２２１，２２２が設置されている。これらのシャックル２２１，２２２は、前述したシャックル２１１，２１２と同様である。
【００２７】
なお、吊下具本体１０の第１端部１１および第２端部１２には、それぞれ昇降ガイドとして、吊下具本体１０の長手方向に向けて同様なシャックル２１３，２２３が設置されている。
これらは、吊下具本体１０を用いて外装パネル２の吊り上げを行う際に、予め吊り上げ経路に鉛直方向のガイドワイヤーを設置しておき、このガイドワイヤーをシャックル２１３，２２３に挿通させることができる。
【００２８】
図３において、吊下具本体１０は外装パネル２の上縁に被着可能である。
吊下具本体１０を外装パネル２の上縁に被着した状態では、Ｃ型鋼材の両フランジ部分が、外装パネル２の表面および裏面に対向配置され、Ｃ型鋼材のウェブ部分が外装パネル２の上端面に対向配置される。外装パネル２が吊下具本体１０に接触するＣ型鋼材の内側には、前述した通り硬質ゴム製シートを用いたクッション材１３が張られている。
【００２９】
本実施形態では、次のような手順で外装パネル２の吊り上げを行う。
先ず、外装パネル２を設置する建物近傍の作業現場に外装パネル２を搬入し、表面が略垂直な状態で保持する。
次に、外装パネル２の上縁に吊下具本体１０を被せる。さらに、外装パネル２の下に、第１紐状部材３１および第２紐状部材３２を通し、各々のナイロンスリング３３の中間部が外装パネル２の下縁に臨むように配置しておく。
続いて、第１紐状部材３１および第２紐状部材３２のワイヤー３５を外装パネル２の表面および裏面に沿って引き上げ、各側のシャックル２１１，２１２，２２１，２２２に通して吊下具本体１０の上面側に引き出し、各々を第１端部１１および第２端部１２の中間位置の上方で纏めてフック３に接続する。
この状態でフック３を上昇させ、第１紐状部材３１および第２紐状部材３２の張りを確認しながら外装パネル２を吊り上げ、安定した吊り下げ状態が確認できたら、建物の設置部位まで搬送する。
【００３０】
このような本実施形態によれば、次のような効果が得られる。
本実施形態において、第１紐状部材３１は、外装パネル２の第１端部１１側の下縁に巻かれ、その両端側は外装パネル２の表面および裏面に沿って上方へ引き出され、第１ガイド２１の環状部を通して吊下具本体１０の上方へ引き出され、クレーンなどに接続される。一方、第２紐状部材３２は、外装パネル２の第２端部１２側の下縁に巻かれ、その両端側は外装パネル２の表面および裏面に沿って上方へ引き出され、第２ガイド２２の環状部を通して吊下具本体１０の上方へ引き出され、クレーンのフック３などに接続される。
この際、第１ガイド２１および第２ガイド２２は、それぞれ吊下具本体１０の第１端部１１および第２端部１２に設置されており、各々に至る第１紐状部材３１および第２紐状部材３２は略垂直に引き出され、外装パネル２の下端を鉛直方向上向きに安定支持することができる。
【００３１】
ここで、第１紐状部材３１および第２紐状部材３２は、第１ガイド２１および第２ガイド２２から上方へ引き出されてクレーンに接続される際、そのフック３に向けて集合することで、それぞれ傾くが、第１ガイド２１および第２ガイド２２が吊下具本体１０により所定間隔に保持されるため、外装パネル２に沿った部分の垂直方向の引き出しは維持される。
このように、本実施形態によれば、第１ガイド２１および第２ガイド２２が設置された吊下具本体１０と、第１紐状部材３１および第２紐状部材３２とを用いる簡単な構造で、外装パネル２の空洞なしに、安定した外装パネル２の吊り下げが可能となる。
【００３２】
さらに、第１ガイド２１であるシャックル２１１，２１２、および第２ガイド２２であるシャックル２２１，２２２は、吊下具本体１０の上面から外側へ張り出すように設置したため、これらを通るワイヤー３５を外装パネル２の表面または裏面から離隔させることができ、この点でも外装パネル２の損傷の可能性を低減できる。
【００３３】
本実施形態では、第１ガイド２１であるシャックル２１１，２１２、および第２ガイド２２であるシャックル２２１，２２２が、それぞれ環状部の一部が開閉可能であるため、第１ガイド２１に第１紐状部材３１を通す際、または第２ガイド２２に第２紐状部材３２を通す際に、各々の環状部を開くことで第１紐状部材３１または第２紐状部材３２の途中部分を導入することができ、第１紐状部材３１または第２紐状部材３２の先端から第１ガイド２１または第２ガイド２２に通すような煩雑な作業を省略することができる。
【００３４】
本実施形態では、第１ガイド２１であるシャックル２１１，２１２のループ側、および第２ガイド２２であるシャックル２２１，２２２のループ側を、それぞれ吊下具本体１０に固定したため、前述した環状部の一部が開閉可能な第１ガイド２１および第２ガイド２２を簡単に形成できる。また、シャックル２１１，２１２，２２１，２２２は汎用部品であり、利用環境に適合した部材を安価に確保することができる。
【００３５】
本実施形態では、第１紐状部材３１および第２紐状部材３２は、それぞれ外装パネル２の下縁に巻かれる部分がナイロンスリング３３で形成され、ナイロンスリング３３が鋼製ワイヤーなどに比べて柔軟であるため、外装パネル２の下縁部分の損傷などを防止できる。また、ナイロンスリング３３は、偏平に編まれて鋼製ワイヤーなどに比べて厚みが小さいため、外装パネル２を吊り下げた状態で狭い部分へも搬入できる。
【００３６】
本実施形態では、第１紐状部材３１および第２紐状部材３２は、それぞれ外装パネル２の下縁に巻かれるナイロンスリング３３と、ナイロンスリング３３の両端に接続された一対のワイヤー３５と、を有し、ワイヤー３５が第１ガイド２１または第２ガイド２２に挿通されるようにした。このため、ナイロンスリング３３の部分で外装パネル２の損傷を防止できる。また、両側のワイヤー３５部分を第１ガイド２１または第２ガイド２２に通すことで、第１ガイド２１または第２ガイド２２に対する擦れに対して強度を確保できる。
【００３７】
本実施形態では、吊下具本体１０の内側には、硬質ゴム製シートによるクッション材１３が張られているため、外装パネル２の上縁において、吊下具本体１０との接触による損傷を防止できる。また、クッション材１３としての硬質ゴム製シートは、汎用素材を適宜用いることができ、確保が容易かつ安価にできる。
【００３８】
本実施形態では、吊下具本体１０として、外装パネル２の上端に被着可能なＣ型鋼材を用いた。このため、吊下具本体１０とされたＣ型鋼材の両フランジ部分が、装着時に外装パネル２の表面および裏面に対向配置され、Ｃ型鋼材のウェブ部分が外装パネル２の上端面に対向配置され、これにより外装パネル２の上縁部分を覆うように吊下具本体１０を被せることができ、安定した装着ができる。そして、Ｃ型鋼材は汎用部品であり、利用環境に適合した部材を安価に確保することができる。
【００３９】
本実施形態では、吊下具本体１０の第１端部１１および第２端部１２に、それぞれ昇降ガイドとして、吊下具本体１０の長手方向に向けて同様なシャックル２１３，２２３を設置した。このため、吊下具本体１０を用いて外装パネル２の吊り上げを行う際に、予め吊り上げ経路に鉛直方向のガイドワイヤーを設置しておき、このガイドワイヤーをシャックル２１３，２２３に挿通させることで、吊り上げられる吊下具本体１０および外装パネル２を所定の経路に沿ってガイドすることができ、強風時にも安定した吊り上げ作業を行うことができる。
【００４０】
なお、本発明は前述した実施形態に限定されるものではなく、本発明の目的を達成できる範囲での変形などは本発明に含まれる。
前述した図１から図３の実施形態では、吊下具本体１０として、１本の連続したＣ型鋼材を用いた。しかし、吊下具本体１０において、外装パネル２の上縁に沿って被着される部分は、その全長にわたる必要はなく、例えば両端つまり第１端部１１および第２端部１２だけであってもよい。
【００４１】
図４において、本発明の他の実施形態として、吊下具本体１０Ａは、第１端部１１Ａおよび第２端部１２Ａを有する。第１端部１１Ａおよび第２端部１２Ａは、それぞれ短尺のＣ型鋼材とされ、棒状の連結材１４Ａで連結されている。
連結材１４Ａは、角柱状の鋼材、鋼製アングル材や鋼製パイプ材を用いて形成され、その両端が第１端部１１Ａおよび第２端部１２Ａの上面に溶接されている。
第１端部１１Ａおよび第２端部１２Ａの内側には、硬質ゴム製シートによるクッション材１３が張られている。
第１端部１１Ａおよび第２端部１２Ａの互いに離れた側の端面には、端面開口を覆うように鋼製の外れ止め用の蓋材１５Ａが溶接されている。
【００４２】
このような他の実施形態では、連結材１４Ａで連結された第１端部１１Ａおよび第２端部１２Ａで吊下具本体１０Ａが形成され、全体をＣ型鋼材とする場合に比べて、軽量化が可能である。また、吊下具本体１０Ａの両端に蓋材１５Ａを設けたため、吊下具本体１０Ａを外装パネル２の上縁に被着した際に、長手方向にずれて外れることを防止できる。
【００４３】
図１〜図３の実施形態では、吊下具本体１０の第１端部１１および第２端部１２に、それぞれ吊下具本体１０の長手方向に向けてガイド用のシャックル２１３，２２３を設置したが、図４の実施形態のように、これらのシャックル２１３，２２３は適宜省略してもよい。
【００４４】
さらに、第１ガイド２１および第２ガイド２２の環状部としてシャックル２１１，２２１などを用いることは本発明に必須ではなく、開閉部分のないアイボルトなどを用いてもよい。ただし、開閉部分がないとワイヤー３５の挿通作業が繁雑になるため、ボルト部などの開閉部分を設けることが望ましい。また、環状部としてはシャックル２１１，２２１などの棒材をループ状にした円環状に限らず、断面円環状のパイプ部材を用いてもよい。
さらに、第１ガイド２１であるシャックル２１１，２１２、および第２ガイド２２であるシャックル２２１，２２２は、吊下具本体１０の上面から外側へ張り出すように設置し、これらを通るワイヤー３５を外装パネル２の表裏面から離隔させたが、第１ガイド２１および第２ガイド２２は吊下具本体１０の上面から張り出さないように設置してもよい。
【００４５】
前記実施形態では、第１紐状部材３１および第２紐状部材３２として、中間部がナイロンスリング３３でその両端にワイヤー３５が接続されたものを用いたが、全長にわたってナイロンスリング３３であるもの、全長にわたってワイヤー３５であるものを用いてもよい。ただし、全長にわたってナイロンスリング３３である場合、第１ガイド２１および第２ガイド２２を挿通する部分およびフック３に接続される部分に補強などを行うことが望ましい。また、全長にわたってワイヤー３５である場合、外装パネル２の下縁に接触する部分に保護材などを挟み込んで損傷防止を図ることが望ましい。
なお、ナイロンスリング３３は、接触による外装パネル２の損傷を避けられるものであれば他の素材であってもよい。また、ワイヤー３５についても、必要な強度等が得られる他の紐状部材であってもよく、例えばチェーンなどでもよい。
【００４６】
前記実施形態では、吊下具本体１０，１０Ａの内側にクッション材１３を張ったが、クッション材１３は吊下具本体１０，１０Ａの内側全体に連続したものに限らず、所定間隔で間欠的に設置してもよい。また、クッション材１３の材料は、硬質ゴム製シートに限らず、合成樹脂製のスポンジ状の部材などでもよく、外装パネル２の損傷を防止できるものであればよい。
【００４７】
前記実施形態では、外装パネル吊下具１で一枚の外装パネル２を吊り下げたが、本発明の外装パネル吊下具１は複数枚の外装パネル２を連結した外装パネルユニットを一括して吊り下げることもできる。
外装パネルユニットとしては、例えば複数の外装パネル２を並べて配置し、各々の裏面に水平なアングル材などの連結材を掛け渡して相互に固定することで形成される。連結材は、複数の外装パネル２の上部および下部の２箇所以上に設けることが好ましい。連結材は、外装パネル２の下面を支えるような形態で設置されてもよい。ただし、外装パネル２の上縁については連結材を設置せず、吊下具本体１０を被着するためのスペースを空けておく。
このような外装パネルユニットについても、前述した実施形態の外装パネル吊下具１により吊り下げることができ、複数の外装パネル２を一括して吊り下げられるため、作業効率を高めることができる。
【産業上の利用可能性】
【００４８】
本発明は外装パネル吊下具および外装パネル吊下方法として利用できる。
【符号の説明】
【００４９】
１…外装パネル吊下具、１０，１０Ａ…吊下具本体、１１，１１Ａ…第１端部、１２，１２Ａ…第２端部、１３…クッション材、１４Ａ…連結材、１５Ａ…蓋材、２…外装パネル、２１…第１ガイド、２２…第２ガイド、２１１，２１２，２２１，２２２…環状部であるシャックル、２１３，２２３…昇降ガイドであるシャックル、３…フック、３１…第１紐状部材、３２…第２紐状部材、３３…ナイロンスリング、３４…シャックル、３５…ワイヤー。
【図１】
2020176454.tif 000003
【図２】
2020176454.tif 000004
【図３】
2020176454.tif 000005
【図４】
2020176454.tif 000006